(57)【特許請求の範囲】
【請求項１】
螺旋状に形成されて基端部にトラップコイル部を有するコイル素子と、
前記コイル素子の基端に電気的に直列接続される筒状導電性素子と、
前記導電性素子の基端に電気的に接続される接続用金具と、を備え、
前記コイル素子及び前記筒状導電性素子の直列接続は第１の周波数帯で動作し、前記筒状導電性素子単独では前記第１の周波数帯より高い第２の周波数帯で動作することを特徴とする複合アンテナ。
【請求項２】
前記導電性素子の内側に配置されて、前記導電性素子から突出した先端側に螺旋状溝を有する絶縁性芯材を備え、
前記コイルトラップ部を前記螺旋状溝に係合させて、前記トラップコイル部のピッチを一定に保持することを特徴とする請求項１に記載の複合アンテナ。
【請求項３】
前記コイル素子及び前記導電性素子を保持する内側樹脂成形部と、前記内側樹脂成形部よりも軟質で前記内側樹脂成形部の外側を覆う外側樹脂成形部とを有することを特徴とする請求項１又は２に記載の複合アンテナ。
【請求項４】
前記外側樹脂成形部の先端部を貫通して前記内側樹脂成形部の先端部の所定深さに到達する穴部が形成されており、前記穴部にキャップが嵌着されていることを特徴とする請求項３に記載の複合アンテナ。
【請求項５】
前記導電性素子の基端部に切欠部が形成され、前記内側樹脂成形部には前記導電性素子の基端部の外側を帯状に周回する厚肉部が形成されていることを特徴とする請求項３又は４に記載の複合アンテナ。
【請求項６】
前記導電性素子の外周面に貫通孔が形成され、前記内側樹脂成形部は前記貫通孔を貫通していることを特徴とする請求項３乃至５のいずれか一項に記載の複合アンテナ。
【請求項７】
前記導電性素子の内側に配置され、かつ前記導電性素子から突出した絶縁性芯材を備え、
前記絶縁性芯材の外周に前記コイル素子が接着され、前記コイル素子及び前記導電性素子が外装絶縁体で覆われていることを特徴とする請求項１に記載の複合アンテナ。
【請求項８】
螺旋状に形成されて基端部にトラップコイル部を有するコイル素子の基端に、筒状導電性素子を電気的に接続する第１の接続工程と、
螺旋状溝を有する絶縁性芯材の取付部を接続用金具に取り付け、前記絶縁性芯材を前記導電性素子の内側を通して突出させて前記接続用金具を前記導電性素子の基端に電気的に接続する第２の接続工程と、
前記導電性素子から突出した前記絶縁性芯材の前記螺旋状溝に前記コイルトラップ部を係合させた状態で、インサート成形によって樹脂成形部を設ける成形工程と、
を備えることを特徴とする複合アンテナの製造方法。
【発明の詳細な説明】
【技術分野】
【０００１】
本発明は、ＡＭ／ＦＭ等の受信のための第１の周波数帯で動作するアンテナ素子と、データ送受信等のためにこれよりも高い第２の周波数帯で動作するアンテナ素子とを有する、車載用アンテナ等に使用される複合アンテナ及びその製造方法に関するものである。
【背景技術】
【０００２】
従来の車載用アンテナとして、下記特許文献１に示す構造のものが知られている。この場合、アンテナ素子としての導電性コイルに、導電性の接続金具を電気的、機械的に接続した状態で、コイル外周を第一の成形金型の内面に接するよう配置して、表面にコイルが露出する状態で樹脂成形する。これにより、コイルのピッチが樹脂で固定され、必要とする周波数に共振するアンテナ素子になる。さらに第二の成形金型により、アンテナ素子外周のカバー形状を樹脂成形する。接続用金具は、アンテナベースに接続される。この特許文献１の車載用アンテナは、一つのアンテナ素子で定まる特定の周波数帯に対応するもので、例えばＦＭ／ＡＭ放送受信用として使用される。
【０００３】
近年、ＦＭ／ＡＭ放送受信用の周波数帯に加えて、ＬＴＥ等の広帯域な携帯電話用のデータ送受信用周波数帯（以降、「ＴＥＬ帯」と言う）に対応することが車載用アンテナにも要望されるようになってきており、このため下記特許文献２に示すような、複合アンテナが提案されている。この複合アンテナは、ＡＭ／ＦＭ用アンテナ素子とその他の高周波アンテナ素子とを歪みが少なくなるよう複合化する構造である。すなわち、ＡＭ／ＦＭ受信のための第１の周波数帯で動作する第１のアンテナ素子としてのヘリカルコイルの内側に、ＴＥＬ帯用である第２の周波数帯の第２のアンテナ素子を通すように配置し、これにより、複合化を達成している。
【先行技術文献】
【特許文献】
【０００４】
【特許文献１】特開２０００−２５２７３３号公報
【特許文献２】特開２００９−２７２９７１号公報
【発明の概要】
【発明が解決しようとする課題】
【０００５】
しかしながら、使用する第２の周波数帯の帯域を広くしようとすると、第２のアンテナ素子をできるだけ太くする必要があるが、特許文献２の構成は、細い第２のアンテナ素子をヘリカルコイルの中に通すものであるため、第２のアンテナ素子を太くするためにはヘリカルコイルの外径を太くする必要がある。このため、複合アンテナ外観の径も太くなってしまう問題がある。
【０００６】
本発明はこうした状況を認識してなされたものであり、その目的は、アンテナ外観の径寸法を、従来のＡＭ／ＦＭ用のアンテナに比較して増加させることなく、複数の周波数帯での使用を可能とした複合アンテナ及びその製造方法を提供することにある。
【課題を解決するための手段】
【０００７】
本発明の第１の態様は複合アンテナである。この複合アンテナは、螺旋状に形成されて基端部にトラップコイル部を有するコイル素子と、
前記コイル素子の基端に電気的に直列接続される筒状導電性素子と、
前記導電性素子の基端に電気的に接続される接続用金具と、を備え、
前記コイル素子及び前記筒状導電性素子の直列接続は第１の周波数帯で動作し、前記筒状導電性素子単独では前記第１の周波数帯より高い第２の周波数帯で動作することを特徴とする。
【０００８】
前記第１の態様において、前記導電性素子の内側に配置されて、前記導電性素子から突出した先端側に螺旋状溝を有する絶縁性芯材を備え、前記コイルトラップ部を前記螺旋状溝に係合させて、前記トラップコイル部のピッチを一定に保持する構成であるとよい。
【０００９】
前記第１の態様において、前記コイル素子及び前記導電性素子を保持する内側樹脂成形部と、前記内側樹脂成形部よりも軟質で前記内側樹脂成形部の外側を覆う外側樹脂成形部とを有するとよい。
【００１０】
そして、前記外側樹脂成形部の先端部を貫通して前記内側樹脂成形部の先端部の所定深さに到達する穴部が形成されている場合、前記穴部にキャップが嵌着されているとよい。
【００１１】
前記導電性素子の基端部に切欠部が形成され、前記内側樹脂成形部には前記導電性素子の基端部の外側を帯状に周回する厚肉部が形成されているとよい。
【００１２】
前記導電性素子の外周面に貫通孔が形成され、前記内側樹脂成形部は前記貫通孔を貫通しているとよい。
【００１３】
前記第１の態様において、前記導電性素子の内側に配置され、かつ前記導電性素子から突出した絶縁性芯材を備え、前記絶縁性芯材の外周に前記コイル素子が接着され、前記コイル素子及び前記導電性素子が外装絶縁体で覆われている構成でもよい。
【００１４】
本発明の第２の態様は複合アンテナの製造方法である。この複合アンテナの製造方法は、螺旋状に形成されて基端部にトラップコイル部を有するコイル素子の基端に、筒状導電性素子を電気的に接続する第１の接続工程と、
螺旋状溝を有する絶縁性芯材の取付部を接続用金具に取り付け、前記絶縁性芯材を前記導電性素子の内側を通して突出させて前記接続用金具を前記導電性素子の基端に電気的に接続する第２の接続工程と、
前記導電性素子から突出した前記絶縁性芯材の前記螺旋状溝に前記コイルトラップ部を係合させた状態で、インサート成形によって樹脂成形部を設ける成形工程とを備えることを特徴とする。
【００１５】
なお、以上の構成要素の任意の組合せ、本発明の表現を方法やシステム等の間で変換したものもまた、本発明の態様として有効である。
【発明の効果】
【００１６】
本発明によれば、螺旋状に形成されて基端部にトラップコイル部を有するコイル素子と、前記コイル素子の基端に電気的に直列接続される筒状導電性素子とを用い、前記コイル素子及び前記筒状導電性素子の直列接続が第１の周波数帯で動作し、前記筒状導電性素子単独では第１の周波数帯より高い第２の周波数帯で動作するように設定することで、アンテナ外観の径寸法を、従来のＡＭ／ＦＭ用のアンテナに比較して増加させることなく、複数の周波数帯での使用を可能とした複合アンテナを実現可能である。
【図面の簡単な説明】
【００１７】
【図１】本発明に係る複合アンテナ及びその製造方法の実施の形態１を示す分解斜視図。
【図２】実施の形態１の製造工程の説明であって、（Ａ）は第１の成形工程でコイル素子及び導電性素子を覆う内側樹脂成形部をインサート成形した状態の側面図、（Ｂ）は同側断面図、（Ｃ）は前記内側樹脂成形部の外側を覆う外側樹脂成形部をインサート成形した完成状態の側面図、（Ｄ）は同側断面図。
【図３】実施の形態１におけるコイル素子及び導電性素子を示す分解斜視図。
【図４】実施の形態１における絶縁性芯材及び接続用金具を示す分解斜視図。
【図５】前記コイル素子の基端に前記導電性素子を溶接後、前記接続用金具に仮固定した前記絶縁性芯材を前記導電性素子の内側を通して突出させ、前記絶縁性芯材の螺旋状溝を前記コイル素子のトラップコイル部にねじ込み、螺合させた状態の斜視図。
【図６】前記導電性素子に前記接続用金具を抵抗溶接する工程を示す斜視図。
【図７】実施の形態１であって、（Ａ）は第１の成形工程でコイル素子及び導電性素子を覆う内側樹脂成形部をインサート成形した状態の斜視図、（Ｂ）は前記内側樹脂成形部の外側を覆う外側樹脂成形部の斜視図、（Ｃ）は前記外側樹脂成形部の先端部を貫通して前記内側樹脂成形部の先端部の所定深さに到達する穴部を、キャップで塞ぐ構造を示す分解斜視図。
【図８】本発明の実施の形態２を示す分解斜視図。
【発明を実施するための形態】
【００１８】
以下、図面を参照しながら本発明の好適な実施の形態を詳述する。なお、各図面に示される同一又は同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１９】
実施の形態１
図１乃至図７で本発明に係る複合アンテナ及びその製造方法の実施の形態１を説明する。この複合アンテナは、車載用等に使用するものであり、全体としてポールアンテナの外観形状を有する。図１及び図２に示すように、複合アンテナは、螺旋状に形成されて基端部にトラップコイル部３を有するコイル素子１（第１のアンテナ素子として機能する）と、コイル素子１の基端に電気的に直列接続される円筒状導電性素子１０（第２のアンテナ素子として機能する）と、円筒状導電性素子１０の基端に電気的に接続される接続用金具２０と、導電性素子１０の内側に配置され、先端側が導電性素子１０から突出する絶縁性芯材（アンテナコア）３０とを備えている。コイル素子１及び円筒状導電性素子１０の直列接続は第１の周波数帯としてのＡＭ／ＦＭ放送の周波数帯で動作し、円筒状導電性素子１０単独ではＡＭ／ＦＭ放送の周波数帯より高い第２の周波数帯としてのＴＥＬ帯で動作する。
【００２０】
コイル素子１は、図３のように全体的に螺旋状に巻回されており、先端から順に、ＡＭ／ＦＭ放送受信のためのヘリカルコイル部２、トラップコイル部３、及び密巻状の接続部４が形成されている。トラップコイル部３は狭ピッチで巻回され、ヘリカルコイル部２はトラップコイル部３よりもやや大きなピッチで巻回され、特に、ヘリカルコイル部２の基端側は疎巻きに形成されている。トラップコイル部３よりも基端側に位置する密巻状の接続部４は、円筒状導電性素子１０の小径部となるコイル装着部１１の外側に嵌るように形成されている。コイル素子１は、例えば耐食性の優れたステンレス線である。
【００２１】
円筒状導電性素子１０は鉄板等の金属板（導体板）を丸めて形成されており、図３のように先端側はコイル素子１の接続部４を取り付ける為に外径が小さく形成されたコイル装着部１１となっている。コイル素子１の接続部４が導電性素子１０のコイル装着部１１の外側に乗り上げて（嵌合して）固定される。接続部４とコイル装着部１１との電気的接続及び固定は例えば溶接で行われる。
【００２２】
円筒状導電性素子１０の内側には、絶縁性芯材３０が回転しながら通過する空間が設けられており、絶縁性芯材３０をコイル素子１にねじ込んで固定が可能なように設定されている。
【００２３】
また、外径の絞られた導電性素子１０先端側のコイル装着部１１は複数片（図示の場合４片）に隙間をもって分割されている。この隙間から、図２（Ａ）,（Ｂ）の内側樹脂成形部４０を設けるための後述する第１成形工程において、溶融状態の樹脂が導電性素子１０の内部に流れ込むようになっている。また、導電性素子１０の外周面には複数の貫通孔１２が形成され、第１成形工程において導電性素子１０の内側に流れ込んだ溶融状態の樹脂が貫通孔１２を貫通して外側に突出して内側樹脂成形部４０による突起４１を形成するようにしている。突起４１は、図２（Ｃ）,（Ｄ）の外側樹脂成形部５０を設けるための後述する第２成形工程において、内側樹脂成形部４０の抜け止め及び回転止め用の突起として機能する。
【００２４】
図５及び図６に示すように、円筒状導電性素子１０の基端側には、接続用金具２０と溶接（例えば抵抗溶接）するための切欠部１３が円筒状導電性素子１０の中心軸に対し正反対位置とならないように形成され、導電性素子１０と接続用金具２０とを抵抗溶接機の溶接電極で上下で挟持できるようにしている。つまり、抵抗溶接機の一方の溶接電極は導電性素子１０に、他方の溶接電極は切欠部１３から露出した接続用金具２０に接触するようにしており、溶接条件が安定しやすい。
【００２５】
図４及び図５に示すように、接続用金具２０には、中央付近に大径の接続部２１が形成されており、その外径は、円筒状導電性素子１０の内側に嵌入可能なように、導電性素子１０内径と略同径に形成されている。また、先端面に絶縁性芯材３０の取付部３１が圧入される圧入穴２２が形成されている。接続用金具２１の基端側は取付ベースに取り付けるための雄ネジ部２３となっている。
【００２６】
図４に示すように、絶縁性芯材３０には、その基端側に接続用金具２０の圧入穴２２に圧入される取付部３１が形成され、先端側にトラップコイル部３のピッチと同ピッチの螺旋状溝３２を有する螺合部３３が形成されている。基端の取付部３１が接続用金具２０に圧入された絶縁性芯材３０が、円筒状導電性素子１０の内側に配置された状態において、螺合部３３は導電性素子１０の先端側の開口から突出する。また、絶縁性芯材３０の基端側と中央付近には、それぞれ、外周方向に突出する突起部３４，３５が周方向に等間隔で複数箇所（図示の場合４箇所）に形成されており、これらの突起部３４，３５は円筒状導電性素子１０の内面との間に隙間を形成するためのスペーサとしての役割をなし、この隙間に第１成形工程において内側樹脂成形部４０となる溶融樹脂が流れ込むことができるようになっている。
【００２７】
次に、各部材の組立手順及び第１及び第２成形工程について説明すると、まず、図３に示す円筒状導電性素子１０のコイル装着部１１の外側に、コイル素子１の接続部４を嵌合して、溶接等により接続部４とコイル装着部１１との電気的接続及び固定を行う。これとは別に、図４のように接続用金具２０の圧入穴２２に絶縁性芯材３０の取付部３１を挿入（圧入）して、接続用金具２０で絶縁性芯材３０を仮保持する。
【００２８】
図５のように、接続用金具２０が取り付けられた絶縁性芯材３０を、矢印方向に回転させて円筒状導電性素子１０の内側にネジ込みながら挿入し、螺旋状溝３２を有する螺合部３３をトラップコイル部３に螺合させる。これにより、トラップコイル部３の線材を螺旋状溝３２と係合させ、螺旋のピッチが変動しないように保持する。
【００２９】
それから、図６のように、円筒状導電性素子１０に接続用金具２０の接続部２１を抵抗溶接する。その際、円筒状導電性素子１０の基端に切欠部１３を形成しておくことで、抵抗溶接機の一方の溶接電極は導電性素子１０に、他方の溶接電極は切欠部１３から露出した接続用金具２０の接続部２１に接触させることができ、安定した溶接が可能である。
【００３０】
次に、図２（Ａ）,（Ｂ）及び図７（Ａ）に示すコイル素子１及び円筒状導電性素子１０を保持する内側樹脂成形部４０を第１成形工程で設ける。すなわち、コイル素子１、円筒状導電性素子１０、接続用金具２０及び絶縁性芯材３０を一体化したものを第１の樹脂成形金型の成形空間内に配置し（但し、接続用金具２０の基端側は成形空間外）、接続用金具２０の基端及びコイル素子１の先端部内側を第１の樹脂成形金型で支持した状態にて溶融樹脂を成形空間内に注入してインサート成形を行う。
【００３１】
第１成形工程で形成された内側樹脂成形部４０は、コイル素子１を覆うとともに、円筒状導電性素子１０の外周面を部分的に覆うものであり、円筒状導電性素子１０の貫通孔１２から外側に突出した複数の突起４１、円筒状導電性素子１０の基端部の外側を帯状に周回する厚肉部４２、導電性素子１０の外周からコイル素子１の外周に向かって外径が小さくなる部分に形成された複数の補強リブ４３、コイル素子１の外周に設けられた複数の突起４４、及び先端面に開口する円柱状凹部４５を有している。突起４１及び突起４４は後述の第２成形工程で設けられる外側樹脂成形部５０に対する抜け止め及び回転止めとして機能する。また、帯状の厚肉部４２は円筒状導電性素子１０に切欠部１３を設けた場合の強度低下を補うための補強用である。円柱状凹部４５は成形時にコイル素子１の先端部内側を支持する位置決めピンが入っていた所である。
【００３２】
コイル素子１の外周部は第１の樹脂成形金型に保持された状態で樹脂成形され、各ピッチ間がショートすることなく内側樹脂成形部４０で固定される。絶縁性芯材３０の材質は、繰り返しアンテナ曲げに耐える為に、内側樹脂成形部４０と同じか又は融点の低い材質（樹脂）で構成され、インサート成形により内側樹脂成形部４０と強固に接着することが可能となる。
【００３３】
第１成形工程で内側樹脂成形部４０を設けた後、図２（Ｃ）,（Ｄ）及び図７（Ｂ）に示すように内側樹脂成形部４０の外側を覆う外側樹脂成形部５０を第２成形工程で設ける。すなわち、図２（Ａ）及び図７（Ａ）のように内側樹脂成形部４０を設けた構造体４６を第２の樹脂成形金型の成形空間内に配置し（但し、接続用金具２０の基端側は成形空間外）、接続用金具２０の基端を支持するとともに、円柱状凹部４５の内側に固定用の金型ピンを差し込んで支持した状態にて溶融樹脂を成形空間内に注入してインサート成形を行う。これにより、成形圧力により伸びや座屈による変形が生じるのを抑制し、構造体４６が成形空間内の中心に位置決めされた状態で外側樹脂成形部５０を成形できる。
【００３４】
第２成形工程で形成された外側樹脂成形部５０は内側樹脂成形部４０の外側を覆うものであり、内側樹脂成形部４０よりも軟質（柔らかい材質）である。これはアンテナに接触した際の衝撃緩和のためである。図７（Ｃ）に示すように、第２成形工程後、外側樹脂成形部５０の先端部を貫通して内側樹脂成形部４０の先端部の所定深さに到達する穴部５５（外側樹脂成形部５０の先端部を貫通して円柱状凹部４５に至る）が残存しているから、この穴部５５に樹脂製キャップ５６を嵌着して閉塞することで、ＡＭ／ＦＭ放送の周波数帯及びこれより高いＴＥＬ帯の両方で動作可能な複合アンテナが得られる。なお、キャップ５６の装着時に接着剤等を併用してもよい。
【００３５】
実施の形態１の複合アンテナは、ＡＭ／ＦＭ放送の周波数帯に関して第１のアンテナ素子としてのコイル素子１と第２のアンテナ素子としての円筒状導電性素子１０との直列接続構造の全体がアンテナ素子として機能する。
【００３６】
また、ＴＥＬ帯では、コイル素子１のトラップコイル部３がハイインピーダンスとなって、コイル素子１を円筒状導電性素子１０から切り離すように作用する。従って、円筒状導電性素子１０がアンテナ素子として働く。この場合、円筒状導電性素子１０の外径を大きくできるため、広帯域化を図ることができる。
【００３７】
本実施の形態によれば、下記の効果を奏することができる。
【００３８】
(1) 複合アンテナは、コイル素子１（第１のアンテナ素子として機能する）の基端側に、円筒状導電性素子１０（第２のアンテナ素子として機能する）を電気的に直列接続する構造であり、コイル素子１及び円筒状導電性素子１０の直列接続は第１の周波数帯としてのＡＭ／ＦＭ放送の周波数帯で動作し、円筒状導電性素子１０単独ではＡＭ／ＦＭ放送の周波数帯より高い第２の周波数帯としてのＴＥＬ帯で動作するように設定している。この構造では、円筒状導電性素子１０の外径はコイル素子１の内径の制約を受けない。このため、アンテナ外観の径寸法を、従来のＡＭ／ＦＭ用のアンテナに比較して増加させることなく、円筒状導電性素子１０の外径をコイル素子１の外径よりも充分大きくして、ＴＥＬ帯の広帯域化を図ることができる。
【００３９】
(2) 円筒状導電性素子１０は例えばブリキ板等の金属板の板金加工で製造でき、製造容易で安価である。
【００４０】
(3) 従来の成形金型による樹脂成形でコイル素子を保持する構造では、樹脂の成形圧力によりコイルピッチにずれが生じることがあり、トラップコイル部３のような狭いピッチ区間では、保持を安定して行うことは難しく、コイルピッチ間のショートが懸念される。本実施の形態では、コイルピッチ間のショートが懸念されるような、狭ピッチのトラップコイル部３を安定して保持する為に、絶縁性芯材３０の螺旋状溝３２をトラップコイル部３に螺合（係合）しているので、コイルピッチ間を一定に保持した状態で、内側樹脂成形部４０のインサート成形が可能である。
【００４１】
(4) コイル素子１及び円筒状導電性素子１０を覆う内側樹脂成形部４０と、内側樹脂成形部４０よりも軟質で内側樹脂成形部４０の外側を覆う外側樹脂成形部５０とを有するため、アンテナ接触時の衝撃を緩和することができる。
【００４２】
(5) 第２成形工程において、内側樹脂成形部４０を設けた構造体４６を第２の樹脂成形金型の成形空間内に配置し、接続用金具２０の基端を支持するとともに、円柱状凹部４５の内側に固定用の金型ピンを差し込んで支持した状態にて溶融樹脂を成形空間内に注入して外側樹脂成形部５０の成形を行っている。これにより、成形圧力により伸びや座屈による変形が生じるのを抑制し、構造体４６が成形空間内の中心に位置決めされた状態で外側樹脂成形部５０を成形できる。また、外側樹脂成形部５０の先端部に残存する穴部５５に樹脂製キャップ５６を嵌着して閉塞することで、外観は良好に維持できる。
【００４３】
(6) 円筒状導電性素子１０の基端部に切欠部１３を形成しておくことで、その基端部に接続用金具２０を嵌合して抵抗溶接する際、切欠部１３を通して接続用金具２０の接続部２１が露出するから、抵抗溶接作業を安定して行うことができる。
【００４４】
(7) また、内側樹脂成形部４０が、円筒状導電性素子１０の基端部の外側を帯状に周回する厚肉部４２を有することで、切欠部１３を形成したことで強度が低下した導電性素子１０の基端部を補強することが可能である。
【００４５】
(8) 円筒状導電性素子１０の外周面に貫通孔１２が形成されていて、内側樹脂成形部４０が貫通孔１２を貫通して導電性素子１０の外周に突起４１を形成するようにしており、導電性素子１０と内側樹脂成形部４０とが位置ずれを起こさずに一体的に回転するようにしている。
【００４６】
実施の形態２
図８で本発明に係る複合アンテナ及びその製造方法の実施の形態２を説明する。前述の実施の形態１では第１及び第２の成形工程によるインサート成形で内側樹脂成形部４０及び外側樹脂成形部５０を形成したが、実施の形態２では、インサート成形で内側樹脂成形部４０及び外側樹脂成形部５０を形成する代わりに、絶縁性芯材６０を、円筒状導電性素子１０の先端からコイル素子１の全長より僅かに長く突出させて、絶縁性芯材６０の外周面にコイル素子１を巻き付けて接着で固定し、別体の外装絶縁体７０をコイル素子１及び円筒状導電性素子１０を覆うように被せて、導電性素子１０の外周面に接着固定する。外装絶縁体７０は外側樹脂成形部５０と同様の軟質樹脂であることが望ましい。その他の構成は実施の形態１と同様でよい。
【００４７】
この実施の形態２においても、アンテナ外観の径寸法を、従来のＡＭ／ＦＭ用のアンテナに比較して増加させることなく、円筒状導電性素子１０の外径をコイル素子１の外径よりも充分大きくして、ＴＥＬ帯の広帯域化を図ることができる。また、コイル素子１を絶縁性芯材６０の外周面に巻き付けて接着することで、コイルピッチの変動を防止することができる。
【００４８】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４９】
また、各実施の形態において、円筒状導電性素子１０と接続用金具２０とを抵抗溶接する際の便宜のために、円筒状導電性素子１０の基端に切欠部１３を設けたが、切欠部１３として導電性素子１０の基端縁まで達していない窓形状のものを採用してもよい。
【００５０】
さらに、円筒状導電性素子１０と接続用金具２０とを抵抗溶接以外の手段で電気的に接続し、かつ機械的に固着する構造を採用してもよい。
【００５１】
各実施の形態において、絶縁性芯材３０，６０が仮固定された接続用金具２０を、円筒状導電性素子１０に固着したが、絶縁性芯材３０，６０を直接円筒状導電性素子１０に位置決め固定する構造を採用することも可能である。
【００５２】
各実施の形態において、第２のアンテナ素子として円筒状導電性素子１０を用いたが、円筒状以外の角筒等の筒状導電性素子を用いることも可能であり、その場合でも使用周波数帯の広帯域化を図ることができる。
【符号の説明】
【００５３】
１  コイル素子、２  ヘリカルコイル部、３  トラップコイル部、４  接続部、１０  円筒状導電性素子、１１  コイル装着部、１２  貫通孔、１３  切欠部、２０  接続用金具、２１  接続部、２２  圧入穴、２３  雄ネジ部、３０，６０  絶縁性芯材、３１  取付部、３２  螺旋状溝、３３  螺合部、３４，３５，４１，４４  突起、４０  内側樹脂成形部、４２  厚肉部、４３  補強リブ、４５  円柱状凹部、４６  構造体、５０  外側樹脂成形部、７０  外装絶縁体
【図１】
0006334313.tif 000002
【図２】
0006334313.tif 000003
【図３】
0006334313.tif 000004
【図４】
0006334313.tif 000005
【図５】
0006334313.tif 000006
【図６】
0006334313.tif 000007
【図７】
0006334313.tif 000008
【図８】
0006334313.tif 000009